(57)【要約】      （修正有）【課題】ネクタイの装着が簡単かつ迅速に行われるようにしたネクタイ装着具を提供する。【解決手段】中央部にネクタイ１をＴ字状に巻回締着するための帯状片２の両端寄りに、係合部材３を設け、シャツの首回りにして襟の折り返しに基づき隠れる部分に、係合部材に対して着脱自在に係合させるための係止部材４を、左右対称的に設けるように構成する。【選択図】図１
0003198566.tif 000002
【実用新案登録請求の範囲】
【請求項１】
中央部にネクタイをＴ字状に巻回締着するための帯状片の両端寄りに、係合部材を設け、シャツの首回りにして襟の折り返しに基づき隠れる部分に、前記係合部材に対して着脱自在に係合させるための係止部材を、左右対称的に設けるように構成したネクタイ装着具。
【請求項２】
係合部材と、これに係合させる係止部材として、ボタンホールとボタンを用いて成る請求項１に記載のネクタイ装着具。
【請求項３】
係合部材と、これに係合させる係止部材として、雌雄の鈎ホックを用いて成る請求項１に記載のネクタイ装着具。
【請求項４】
係合部材と、これに係合させる係止部材として、雌雄のスナップを用いて成る請求項１に記載のネクタイ装着具。
【請求項５】
係合部材と、これに係合させる係止部材として、雌雄の面ファスナーを用いて成る請求項１に記載のネクタイ装着具。
【請求項６】
帯状片の両端に形成する係合部材を、横方向に複数個並べて形成するようにした請求項１乃至請求項５の何れかに記載のネクタイ装着具。
【考案の詳細な説明】
【技術分野】
【０００１】
本考案は、ネクタイの装着が簡単かつ迅速に行われるようにしたネクタイ装着具に関する。
【背景技術】
【０００２】
ネクタイの装着が簡単かつ迅速に行われるものとして、ネクタイのループ部分（首回り）の緩締を自由化すると共に、正面の締着部分を固定するための補助具を用いるようにしたもの（例えば特許文献１参照。）がある。
【先行技術文献】
【特許文献】
【０００３】
【特許文献１】実公平０７−３０６４６号公報
【考案の概要】
【考案が解決しようとする課題】
【０００４】
上記した従来のものであると、ループ部分を、襟下（首回り）を一回りさせなければならないため、結構煩雑性を伴うものである。そして、例えば幼児等用とした場合、このようなループ部分の巻回は、鬱陶しさを感じさせてしまうものである。  また、ネクタイの結び部だけを具えたものを襟部分に単に挟み込むようにしたものも存在するが、激しい動作に伴い落下してしまうと言うような問題が必然伴うものであった。
【０００５】
本考案は上記のような従来の問題を解決し、大人用としては勿論、特に幼児用としての利用に最適とする新規な「ネクタイ装着具」の提供を図ったものである。
【課題を解決するための手段】
【０００６】
本考案は請求項１に記載のように、中央部にネクタイをＴ字状に巻回締着するための帯状片の両端寄りに、係合部材を設け、シャツの首回りにして襟の折り返しに基づき隠れる部分に、前記係合部材に対して着脱自在に係合させるための係止部材を、左右対称的に設けるように構成したネクタイ装着具に係る。
【０００７】
本考案は請求項２に記載のように、係合部材と、これに係合させる係止部材として、ボタンホールとボタンを用いて成る請求項１に記載のネクタイ装着具を実施の態様とする。
【０００８】
本考案は請求項３に記載のように、係合部材と、これに係合させる係止部材として、雌雄の鈎ホックを用いて成る請求項１に記載のネクタイ装着具を実施の態様とする。
【０００９】
本考案は請求項４に記載のように、係合部材と、これに係合させる係止部材として、雌雄のスナップを用いて成る請求項１に記載のネクタイ装着具を実施の態様とする。
【００１０】
本考案は請求項５に記載のように、係合部材と、これに係合させる係止部材として、雌雄の面ファスナーを用いて成る請求項１に記載のネクタイ装着具係止部材を実施の態様とする。
【００１１】
本考案は請求項６に記載のように、帯状片の両端に形成する係合部材を、横方向に複数個並べて形成するようにした請求項１乃至請求項５の何れかに記載のネクタイ装着具を実施の態様とする。
【考案の効果】
【００１２】
本考案は請求項１に記載のような構成を採用したから  、帯状片に対してネクタイ締め作業を予め行っておくことにより、当該帯状片をシャツに対して単に係止させるだけで、ネクタイ締めが完了することとなる。従って、出勤、登校等あわただしい際、見繕いのための時間の短縮化に大きく貢献する。
【００１３】
ところで日本小児科学改善委員会「子どもの生活環境改善委員会」が、子ども服のフード引っ掛け事故の事例をきっかけに、「子供の衣服の構造を考えることが必要」と指摘を受け、ＪＩＳ企画の制定を各業界団体が働きかけている。
そして、ネクタイの場合、子供同士でふざけ合っているうちに、ネクタイを引っ張って相手の首を絞めてしまったり、ドアー等にネクタイが挟まれてしまった、と言うような事故発生が予想される。
これに対して本考案は、ネクタイ自体は首に巻いていないため、このような事態発生を皆無とする。そして、ネクタイを強く引っ張った場合は係止部材と係合部材との掛け止め的係止が外れ、事故発生を未然に防止する。
【００１４】
請求項２に記載のように、係合部材と、これに係合させる係止部材として、ボタンとボタンホールを用いるようにした構成、また、請求項３に記載のように、係合部材と、これに係合させる係止部材として、雌雄の鈎ホックを用いるように構成した場合、ネクタイに対して、引っ張り力が働いても、取付け状態でのある程度の引っ張り抵抗を生じるため、大人の活動的動きでネクタイが落ちてしまうような恐れを回避する。
【００１５】
請求項４に記載のように、係合部材と、これに係合させる係止部材として、雌雄のスナップを用いるようにした構成、また、請求項５に記載のように、係合部材と、これに係合させる係止部材として、雌雄のベ面ファスナーを用いるようにした構成の場合、強い引っ張り力が働いた際に直ぐには外れることができるため、悪ふざけしがちな幼児等のネクタイ用として、優れた安全性を発揮することとなる。
【００１６】
請求項に６に記載のように、係合部材を横方向に複数個並べて形成することにより、首回りの寸法にフィットした状態に調節可能とされる。
【図面の簡単な説明】
【００１７】
【図１】襟の折り返しを立ち上げて本考案全体を見えるようにした状態の正面図である。
【図２】本考案に依るネクタイの結び付け手順を表した説明用正面図であって、（イ）はネクタイの締合わせの一形態を表した正面図、（ロ）は締め合わせたネクタイと本考案の要旨部材たる帯状片との締合わせ手順を表した正面図、（ハ）は締着完了状態を表した正面図である。
【図３】シャツに対してネクタイの取付け完了状態を表した正面図である。
【図４】蝶ネクタイに対して本考案を実施した場合の正面図である。
【考案を実施するための形態】
【００１８】
本考案は、大人用のネクタイも主たる実施対象とするが、特に、幼児用のネクタイ用として最適とするネクタイ装着具に関するものである。すなわち、ネクタイをシャツに対して着脱自在に固定してしまうと言うような形態を採り、これにより、少々暴れてもネクタイが外れたりすることがなく、かつ、強く引っ張られた場合はネクタイが外れて、首が締まってしまうというようなことがないように構成し、これにより、子供仕様において特に最適とする顕著な安全性が得られるように構成したものである。
【００１９】
図１はシャツＡの襟Ｂを立ち上げて本考案全体を見えるようにした状態を表したものである。そして、本考案はネクタイ１と取付け用帯状片２とで構成されるものである。
【００２０】
図２は本考案に依るネクタイの結び付け手順を表したものであり、（イ）に示すようにネクタイ１を交差させる。次に、（ロ）に示すように取付け用帯状片２の中央部分に、背面からネクタイを回し込み、その両端をループ部分に差し込む。この状態において、（ハ）に示すようにネクタイ１を絞り込むことにより、ネクタイ１は帯状片２の中央部分に絞められた状態に保たれる。絞められたネクタイは帯状片２の左右方向に自由にスライドさせることが出来るため、中央に寄せるための位置の調節は任意に行われる。
【００２１】
ところで、上記した取付け用帯状片２の両端には、適宜形態の係合部材３が設けてあり、一方、ネクタイ締着対象とするシャツの襟には、当該係合部材を係合させるための係止部材４が、左右対称的に取り付けてある（図１参照。）。従って、両部材３，４を掛け止め係止させると共に（図１参照。）、立ち上げ状態にある襟Ｂを直すことにより、図３に示すようなネクタイの締着が完了する。ネクタイを外す場合は、係合部材３を係止部材４から外すことによって達成される。この場合、原則としてネクタイ１と帯状片２とは締めた状態に保っておく。これにより、次のネクタイ装着が瞬時に達成される。
【００２２】
上述した係合部材３と係止部材４であるが、これは図１乃至図３に示す実施例にあっては、ボタンとボタン穴を用いるように構成してある。然し乍ら、これに限定されるものではなく、例えば雌雄の鈎ホック、雌雄のスナップボタン、雌雄の面ファスナー、その他雌雄が着脱自在とするものであれば、如何なるものを用いて実施することが出来る。
【００２３】
そして、係合部材３としては、二か所等横方向に複数並べて設けることにより、取付け状態での締め付け強さを調節可能とするようにして実施する場合もある（図１乃至図３参照。）。
【００２４】
本考案は通常のネクタイ用としての使用以外、図４に示すような蝶ネクタイに対する使用も可とするものである。
そして、図１乃至図４に示すネクタイとしては、通常は帯状片２とセットのものを用いるが、ネクタイだけを既存の他のネクタイ、または手持ちのネクタイを用いることも可とする。更に、ネクタイの締め方は、図示のものに限定されることなく、帯状片２に締着できるものであれば、如何なる結び方を採るも自由である。
【符号の説明】
【００２５】
Ａ  シャツ
Ｂ  襟
１  ネクタイ
２  取付け用帯状片
３  係合部材
４  係止部材
【図１】
0003198566.tif 000003
【図２】
0003198566.tif 000004
【図３】
0003198566.tif 000005
【図４】
0003198566.tif 000006